(57)【要約】【課題】クロストーク現象が発生しない発光素子を提供する。【解決手段】発光素子はプリチャージ制御部406及びプリチャージ部408を含む。上記プリチャージ制御部406は外部ソースから入力される表示データによってプリチャージ制御信号を伝送する。上記プリチャージ部406は、プリチャージ制御部404から伝送されたプリチャージ制御信号によって上記表示データ及び上記スキャンラインＳ1〜Ｓ4の抵抗に対応するプリチャージ電流を上記データラインＤ1〜Ｄ4に印加する。上記発光素子でプリチャージ電流がサブピクセルＥ11〜Ｅ44のカソード電圧を考慮してデータラインＤ1〜Ｄ4に印加されるので、パネル400にクロストーク現象が発生しない。【選択図】図４
2007079531.tif 000002
【特許請求の範囲】
【請求項１】
データラインとスキャンラインが交差する発光領域に形成される複数のサブピクセルを含むドライバーにおいて、
表示データによってプリチャージ制御信号を伝送するプリチャージ制御部と、
該プリチャージ制御部から伝送されたプリチャージ制御信号によって前記表示データ及び前記スキャンラインの抵抗に対応するプリチャージ電流を前記データラインに印加するプリチャージ部と、を含むことを特徴とするドライバー。
【請求項２】
前記プリチャージ電流の量は、サブピクセルのカソード電圧と前記表示データに対応する電圧との和に等しい電流量であることを特徴とする請求項１に記載のドライバー。
【請求項３】
前記ドライバーは、
一方向で前記スキャンラインにスキャン信号を伝送するスキャン駆動部をさらに含むことを特徴とする請求項１に記載のドライバー。
【請求項４】
前記ドライバーは、
一方向で前記スキャンラインの一部に第１スキャン信号を伝送する第１スキャン駆動部と、
他方向で残りのスキャンラインに第２スキャン信号を伝送する第２スキャン駆動部と、をさらに含むことを特徴とする請求項１に記載のドライバー。
【請求項５】
前記プリチャージ部は、デジタル−アナログ変換器（ＤＡＣ）を含むことを特徴とする請求項１に記載のドライバー。
【請求項６】
前記プリチャージ制御部は、前記スキャンラインのライン抵抗を記憶しており、前記ライン抵抗と前記表示データとを介して前記プリチャージ電流の量を計算することを特徴とする請求項１に記載のドライバー。
【請求項７】
データラインとスキャンラインが交差する発光領域に形成される複数のサブピクセルを含む発光素子を駆動させる方法において、
表示データを前記スキャンラインの抵抗に対応する変換データに変換させる段階と、
前記データ変換部から伝送された前記変換データに対応するデータ電流を前記データラインに印加する段階と、を含むことを特徴とする発光素子駆動方法。
【請求項８】
前記発光素子駆動方法は、
前記データラインを前記変換データに対応する放電レベルに放電させる段階をさらに含むことを特徴とする請求項７に記載の発光素子駆動方法。
【請求項９】
前記データラインを放電させる段階は、
前記変換データに対応するレベル電圧を出力する段階と、
前記出力されたレベル電圧をバッファリングして放電電圧を発生させる段階と、を含むことを特徴とする請求項８に記載の発光素子駆動方法。
【請求項１０】
前記表示データを変換する段階は、
前記表示データに対応するサブピクセルのカソード電圧を計算する段階と、
前記カソード電圧に対応する変換データを発生させる段階と、を含むことを特徴とする請求項７に記載の発光素子駆動方法。
【請求項１１】
前記発生された変換データは、ルックアップテーブルに保存されたデータ中のカソード電圧に対応するデータであることを特徴とする請求項１０に記載の発光素子駆動方法。
【請求項１２】
第１方向に配列された複数のスキャンラインと
前記第１方向と異なる第２方向に配列された複数のデータラインと、
それぞれ対応スキャンラインと対応データラインとによって形成される複数のサブピクセルを含み、
前記対応するデータラインに連結された少なくとも一つのサブピクセルに対して、前記対応するデータラインは、既に設定された階調のために第１電圧までプリチャージされ、
前記対応するデータラインに連結された少なくとも一つの他のサブピクセルに対して、前記対応データラインは、前記既に設定された階調のために前記第１電圧と異なる第２電圧までプリチャージされることを特徴とする電界発光素子。
【請求項１３】
前記対応するデータラインは、既に設定された電圧から前記第１電圧まで第１変化率でプリチャージされ、前記対応するデータラインは、前記既に設定された電圧から前記第２電圧まで前記第１変化率と異なる第２変化率でプリチャージされることを特徴とする請求項１２に記載の電界発光素子。
【請求項１４】
前記第２変化率は、前記第１変化率より大きいことを特徴とする請求項１３に記載の電界発光素子。
【請求項１５】
前記対応データラインは、発光時間前にプリチャージされることを特徴とする請求項１２に記載の電界発光素子。
【請求項１６】
少なくとも一つのサブピクセルのための前記対応データラインの電圧は、前記第１電圧から第１飽和電圧に変化し、少なくとも一つの他のサブピクセルのための前記対応データラインの電圧は、前記第２電圧から前記第１飽和電圧と異なる第２飽和電圧とに変化することを特徴とする請求項１２に記載の電界発光素子。
【請求項１７】
前記第１電圧から前記第１飽和電圧への第１変化率は、前記第２電圧から前記第２飽和電圧への第２変化率と同一であることを特徴とする請求項１６に記載の電界発光素子。
【請求項１８】
前記第１飽和電圧は第１時間内に達し、前記第２飽和電圧は第２時間内に達し、前記第１及び第２時間は同一であることを特徴とする請求項１６に記載の電界発光素子。
【請求項１９】
前記電界発光素子は、有機電界発光素子であることを特徴とする請求項１２に記載の電界発光素子。
【請求項２０】
第１方向に配列された複数のスキャンラインと、
前記第１方向と異なる第２方向に配列された複数のデータラインと、
それぞれ対応スキャンラインと対応データラインによって形成される複数のサブピクセルとを含み、
対応するデータラインに連結された少なくとも一つのサブピクセルに対して、前記対応するデータラインは、既に設定された階調のために第１電圧までプリチャージされ、その後、前記第１電圧が第１飽和電圧までプリチャージされ、前記対応するデータラインに連結された少なくとも一つの他のサブピクセルに対して、前記対応データラインは、前記既に設定された階調のために前記第１電圧と異なる第２電圧までプリチャージされ、その後、前記第２電圧が第２飽和電圧までプリチャージされ、前記第１電圧から前記第１飽和電圧への第１変化率は、前記第２電圧から前記第２飽和電圧への第２変化率と異なることを特徴とする電界発光素子。
【請求項２１】
前記第１飽和電圧は第１時間内に達し、前記第２飽和電圧は第２時間内に達し、前記第１時間及び前記第２時間は同一であること特徴とする請求項２０に記載の電界発光素子。
【請求項２２】
前記第１電圧は、前記第２電圧と同一であることを特徴とする請求項１７に記載の電界発光素子。
【発明の詳細な説明】
【技術分野】
【０００１】
本発明は、発光素子に関し、より詳しくは、有機電界発光素子及びその駆動方法に関するものである。
【背景技術】
【０００２】
図１は、従来の第１の実施形態に係る有機電界発光素子を示したブロック図である。
図１を参照すると、従来の有機電界発光素子は、パネル１００、制御部１０２、スキャン駆動部１０４、放電部１０６、プリチャージ部１０８及びデータ駆動部１１０を含む。
【０００３】
パネル１００は、データラインＤ１〜Ｄ４とスキャンラインＳ１〜Ｓ４が交差する発光領域に形成される複数のサブピクセルＥ１１〜Ｅ４４を含む。
各サブピクセルは、レッドサブピクセル、グリーンサブピクセルまたはブルーサブピクセルに対応し、各ピクセルは、レッド、グリーン及びブルー（ＲＧＢ）サブピクセルを含む。
【０００４】
制御部１０２は、外部ソースから入力される表示データ、例えば、ＲＧＢデータを受信し、上記受信された表示データを利用して上記有機電界発光素子の構成要素の動作を制御する。
【０００５】
スキャン駆動部１０４は、パネル１００の一方向に形成され、スキャン信号をスキャンラインＳ１〜Ｓ４に順次に伝送する。
放電部１０６は、スイッチＳＷ及びツェナーダイオードＺＤを含む。
【０００６】
スイッチＳＷは、制御部１０２からの制御信号によってターン−オンまたはターン−オフされる。例えば、データラインＤ１〜Ｄ４を放電させる場合、スイッチＳＷがターン−オンされる。その結果、データラインＤ１〜Ｄ４は、ツェナーダイオードＺＤに連結され、これにより、データラインＤ１〜Ｄ４に充電された電荷がツェナーダイオードＺＤのツェナー電圧まで放電される。
【０００７】
プリチャージ部１０８は、制御部１０２の制御によって上記表示データに対応するプリチャージ電流をデータラインＤ１〜Ｄ４に印加する。
データ駆動部１１０は、制御部１０２の制御によって上記表示データに対応するデータ電流をデータラインＤ１〜Ｄ４に印加する。
【０００８】
図２（ａ）及び（ｂ）は、図１の有機電界発光素子の駆動過程を示した回路図であり、図２（ｃ）は、図２（ａ）及び（ｂ）のサブピクセルの発光過程を示したタイミング図である。
【０００９】
以下、最外側サブピクセルとアースと間の抵抗（ＲS）を１０Ωとし、サブピクセル間の抵抗（ＲP）を２Ωとし、第４１サブピクセルＥ４１と第４２サブピクセルＥ４２が３Ａ（アンペア）のデータ電流に対応する輝度で同一に発光するように設計されたとする。また、第１１、２１及び第３１サブピクセルＥ１１、Ｅ２１及びＥ３１は発光しなく、第１２、２２及び第３２サブピクセルＥ１２、Ｅ２２及びＥ３２は、１Ａ（アンペア）のデータ電流に対応する輝度で発光するとする。
【００１０】
まず、第１スキャンラインＳ１に対応するサブピクセルＥ１１〜Ｅ４１の発光過程を詳述する。
図２（ａ）を参照すると、第１スキャンラインＳ１に対応するサブピクセルＥ１１〜Ｅ４１を発光させるために、プリチャージ部１０８は、上記表示データに対応するプリチャージ電流を第１１〜４１サブピクセルＥ１１〜Ｅ４１に印加する。その結果、Ｖ２電圧（デフォルトプリチャージ電圧）に対応する電荷が、図２（ｃ）に示されるように、第１プリチャージ時間pcha１の間、第４１サブピクセルＥ４１にプリチャージされる。
【００１１】
続いて、それぞれ０、０、０及び３Ａ（アンペア）の第１１〜４１データ電流（I)１１〜（I)４１が、データラインＤ1〜Ｄ４に印加される。この場合、第４１サブピクセルＥ４１のアノード電圧ＶＡ４１は、Ｔ１時間の間、第４１カソード電圧ＶＣ４１と３Ａデータ電流に対応する４Ｖの和に対応する電圧Ｖ３まで上昇した後、Ｖ３電圧に安定化される。ここで、第４１カソード電圧ＶＣ４１が、第１スキャンラインＳ１に流れる総電流（０、０、０及び３Ａの和）とスキャンライン抵抗（１０、２、２及び２Ωの和）をかけた４８Ｖであるので、Ｖ３は５２Ｖである。従って、第４１サブピクセルＥ４１は、４Ｖ（アノード電圧ＶＡ４１−第４１カソード電圧ＶＣ４１）に対応する輝度で発光する。
【００１２】
図２（ｂ）を参照すると、プリチャージ部１０８は、上記表示データに対応するプリチャージ電流を第１２〜４２サブピクセルＥ１２〜Ｅ４２に印加する。その結果、Ｖ２電圧（デフォルトプリチャージ電圧）に対応する電荷が図２（ｃ）に示されるように第２プリチャージ時間pcha２の間、第４２サブピクセルＥ４２にプリチャージされる。
【００１３】
続いて、それぞれ１、１、１及び３Ａの第１２〜４２データ電流（I)１２〜（I)４２がデータラインＤ１〜Ｄ４に印加される。この場合、第４２サブピクセルＥ４２のアノード電圧ＶＡ４２は、Ｔ２時間の間、第４２カソード電圧ＶＣ４２と３Ａに対応する４Ｖの和に対応する電圧Ｖ４まで上昇した後、Ｖ４に安定化される。ここで、第４２カソード電圧ＶＣ４２が、第２スキャンラインＳ２に流れる総電流（１、１、１及び３Ａの和)とスキャンライン抵抗(１０、２、２及び２Ωの和）をかけた９６Ｖであるので、Ｖ４は１００Ｖである。
【００１４】
要するに、第４２サブピクセルＥ４２の安定化されたアノード電圧ＶＡ４２とプリチャージ電圧Ｖ２の差は、第４１サブピクセルＥ４２の安定化されたアノード電圧ＶＡ４１とプリチャージ電圧Ｖ２の差より大きく、これにより、Ｔ２がＴ１より大きい。従って、図２（ｃ）に示されるように、第４２サブピクセルＥ４２で安定化されたアノード電圧ＶＡ４２まで上昇する間に消耗される電荷の量は、第４１サブピクセルＥ４１で安定化されたアノード電圧ＶＡ４１まで上昇する間に消耗される電荷の量より大きい。従って、第４２サブピクセルＥ４２は、第４１サブピクセルＥ４１と同じ輝度で発光するように設計されているにもかかわらず、より小さな輝度で発光する。このような現象をクロストーク現象という。
【００１５】
図３は、従来の第２の実施形態に係る有機電界発光素子を示したブロック図である。
図３を参照すると、従来の発光素子は、パネル３００、制御部３０２、第１スキャン駆動部３０４、第２スキャン駆動部３０６、放電部（例えば、アースに連結された回路部）、プリチャージ部３１０及びデータ駆動部３１２を含む。
【００１６】
第１スキャン駆動部３０４及び第２スキャン駆動部３０６を除いた残りの構成要素は、第１の実施形態の構成要素と同じ機能を遂行するので、以下説明を省略する。
第１スキャン駆動部３０４は、パネル３００の一方向で第１スキャン信号をスキャンラインＳ１〜Ｓ４中の一部Ｓ１、Ｓ３に伝送する。
第２スキャン駆動部３０６は、パネル３００の他方向で第２スキャン信号を残りのスキャンラインＳ２、Ｓ４に伝送する。
【００１７】
第１の実施形態の発光素子と同様に、第２の実施形態の発光素子にもクロストーク現象が発生された。第２の実施形態における発光過程は、第１の実施形態における発光過程と似ているので、これに対する詳細な説明は省略する。
【発明の開示】
【発明が解決しようとする課題】
【００１８】
本発明の目的は、クロストーク現象が発生しないパネルを含む発光素子及びその駆動方法を提供することにある。
【課題を解決するための手段】
【００１９】
上記目的を達成するために、本発明に係るデータラインとスキャンラインが交差する発光領域に形成される複数のサブピクセルを含むドライバーは、プリチャージ制御部及びプリチャージ部を含む。上記プリチャージ制御部は、表示データによってプリチャージ制御信号を伝送する。上記プリチャージ部は、上記プリチャージ制御部から伝送されたプリチャージ制御信号によって、上記表示データ及び上記スキャンラインの抵抗に対応するプリチャージ電流を上記データラインに印加する。
【００２０】
本発明の好ましい構成によれば、データラインとスキャンラインが交差する発光領域に形成される複数のサブピクセルを含む発光素子を駆動させる方法は、表示データを上記スキャンラインの抵抗に対応する変換データに変換させる段階と、上記データ変換部から伝送された上記変換データに対応するデータ電流を上記データラインに印加する段階とを含む。
【００２１】
本発明の好ましい構成によれば、電界発光素子は、複数のスキャンライン、複数のデータライン及び複数のサブピクセルを含む。上記スキャンラインは第１方向に配列され、上記データラインは、上記第１方向と異なる第２方向に配列される。上記各サブピクセルは、対応スキャンラインと対応データラインによって形成される。ここで、対応データラインに連結された少なくとも一つのサブピクセルで上記対応データラインは既設定された階調のために第１電圧までプリチャージされ、上記対応データラインに連結された少なくとも一つの他のサブピクセルで上記対応データラインは、上記既設定された階調のために上記第１電圧と異なる第２電圧までプリチャージされる。
【００２２】
本発明の好ましい他の構成によれば、電界発光素子は、複数のスキャンライン、複数のデータライン及び複数のサブピクセルを含む。上記スキャンラインは、第１方向に配列され、上記データラインは、上記第１方向と異なる第２方向に配列される。上記各サブピクセルは、対応スキャンラインと対応データラインによって形成される。ここで、対応データラインに連結された少なくとも一つのサブピクセルで、上記対応データラインは、既に設定された階調のために第１電圧までプリチャージされ、その後、上記第１電圧が、第１飽和電圧までプリチャージされ、上記対応データラインに連結された少なくとも一つの他のサブピクセルで、上記対応データラインは、上記既に設定された階調のために上記第１電圧と異なる第２電圧までプリチャージされ、その後、上記第２電圧が第２飽和電圧までプリチャージされ、上記第１電圧から上記第１飽和電圧への第１変化率は、上記第２電圧から上記第２飽和電圧への第２変化率と異なる。
【００２３】
本発明に係る発光素子及びその駆動方法でプリチャージ電流がサブピクセルのカソード電圧を考慮してデータラインに印加されるので、パネルにクロストーク現象が発生しない。
また、本発明に係る発光素子及びこの駆動方法は、カソード電圧が考慮されたデータ電流をデータラインに印加するので、パネルにクロストーク現象が発生しない。
【発明の効果】
【００２４】
上述したように、本発明に係る発光素子及びその駆動方法において、プリチャージ電流がサブピクセルのカソード電圧を考慮してデータラインに印加されるので、パネルにクロストーク現象が発生しない長所がある。
【００２５】
また、本発明に係る発光素子及びその駆動方法は、カソード電圧が考慮されたデータ電流をデータラインに印加するので、パネルにクロストーク現象が発生しない長所がある。
【発明を実施するための最良の形態】
【００２６】
以下では、添付された図面を参照して、本発明に係るクロストーク防止用の発光素子及びその駆動方法の好ましい実施形態を詳細に説明する。
図４は、本発明の好ましい第１の実施形態に係る発光素子、好ましくは有機電界発光素子を示したブロック図である。
【００２７】
図４を参照すると、本発明の発光素子は、パネル４００及びドライバーを含む。上記ドライバーは、スキャン駆動部４０２、制御部４０４、プリチャージ制御部４０６、プリチャージ部４０８及びデータ駆動部４１０を含む。
【００２８】
パネル４００は、データラインＤ１〜Ｄ４とスキャンラインＳ１〜Ｓ４とが交差する発光領域に形成される複数のサブピクセルＥ１１〜Ｅ４４を含む。
スキャン駆動部４０２は、パネル４００の一方向で形成され、スキャン信号をスキャンラインＳ１〜Ｓ４に、好ましくは順次に伝送する。
【００２９】
制御部４０４は、外部ソースから入力される表示データ、例えば、ＲＧＢデータを記憶する。 続いて、制御部４０４は、上記記憶された表示データを利用してスキャン駆動部４０２、プリチャージ制御部４０６、プリチャージ部４０８及びデータ駆動部４１０の動作を制御する。
【００３０】
プリチャージ制御部４０６は、制御部４０４の制御下でデータラインＤ1〜Ｄ４に印加されるプリチャージ電流の量を計算し、計算された量に対する情報を有するプリチャージ制御信号をプリチャージ部４０８に伝送する。
【００３１】
プリチャージ部４０８は、プリチャージ制御部４０６から伝送されたプリチャージ制御信号によって上記計算された量に対応するプリチャージ電流をデータラインＤ１〜Ｄ４に印加する。本発明の一実施形態に係るプリチャージ部４０８は、デジタル−アナログ変換器（ＤＡＣ）を含み、上記ＤＡＣを利用してマルチレベル中のモノレベルを有する上記プリチャージ電流を発生させる。
【００３２】
プリチャージ制御部４０６及びプリチャージ部４０８の動作に対する詳細な説明は、以下に添付された図面を参照して詳述する。
データ駆動部４１０は、制御部４０４から伝送された表示データに対応するデータ電流をデータラインＤ１〜Ｄ４に印加する。その結果、サブピクセルＥ１１〜Ｅ４４は、所定波長の光を発散する。
【００３３】
図５（ａ）は、本発明の好ましい一実施形態に係る図４の発光素子の駆動過程を示した回路図であり、図５（ｂ）は、本発明の好ましい他の実施形態に係る図４の発光素子の駆動過程を示した回路図である。また、図５（ｃ）は、図５（ａ）及び図５（ｂ）のサブピクセルの発光過程を示したタイミング図である。
【００３４】
以下、最外側サブピクセルとアースと間の抵抗（ＲS）を１０Ωとし、サブピクセル間の抵抗（ＲP）を２Ωとし、第４１サブピクセルＥ４１と第４２サブピクセルＥ４２とが３Ａのデータ電流に対応する輝度で同一に発光するように設計されたとする。また、第１１、２１及び３１サブピクセルＥ１１、Ｅ２１及びＥ３１は、発光しなく、第１２、２２及び３２サブピクセルＥ１２、Ｅ２２及びＥ３２は、１Ａのデータ電流に対応する輝度で発光するとする。
【００３５】
まず、第１スキャンラインＳ１に対応するサブピクセルＥ１１〜Ｅ４１の発光過程を詳述する。
図５（ａ）を参照すると、プリチャージ制御部４０６は、その内部に記憶された抵抗(Ｒs及びＲp)に対する情報及び制御部４０４から伝送された表示データを利用して第４１カソード電圧ＶＣ４１を計算する。即ち、プリチャージ制御部４０６は、第１１〜４１データ電流（I)１１〜（I)４１がそれぞれ０、０、０及び３Ａであることを、上記表示データを通して把握し、第１スキャンラインＳ１に流れる総電流（０、０、０及び３Ａの和)とスキャンライン抵抗（１０、２、２及び２Ωの和）をかけて第４１カソード電圧（ＶＣ４１＝４８Ｖ）を計算する。
【００３６】
続いて、プリチャージ制御部４０６は、上記計算された第４１カソード電圧ＶＣ４１に対した情報を有するプリチャージ制御信号をプリチャージ部４０８に伝送する。
【００３７】
次いで、プリチャージ部４０８は、上記伝送されたプリチャージ制御信号によって図５（ｃ）に示されるように、第１プリチャージ時間pcha１の間プリチャージ電流を、第４データラインＤ４を通して第４１サブピクセルＥ４１に印加する。その結果、第４１サブピクセルＥ４１には、第４１カソード電圧ＶＣ４１（４８Ｖ）とデフォルトプリチャージ電圧（例えば、１Ｖ）の和（４９Ｖ）に対応する電荷が充電される。ここで、上記デフォルトプリチャージ電圧は、第４１カソード電圧ＶＣ４１が０Ｖであり、第４１データ電流が３Ａの場合、プリチャージ電流に対応する電圧である。
【００３８】
続いて、データ駆動部４１０は、制御部４０４から伝送された表示データに対応する第１１〜４１のデータ電流（I)１１〜（I)４１を第１スキャン信号ＰＳ１中のローロジック時間の間、データラインＤ１〜Ｄ４に印加する。その結果、第４１サブピクセルＥ４１のアノード電圧ＶＡ４１は、図５（ｃ）に示されるようにプリチャージ終了からＴ１時間後、５２Ｖに安定化される。従って、第４１サブピクセルＥ４１は、４Ｖ（５２Ｖ−４８Ｖ）に対応する階調で発光する。
【００３９】
以下、第２スキャンラインＳ２に対応するサブピクセルＥ１２〜Ｅ４２の発光過程を詳述する。
図５（ｂ）を参照すると、プリチャージ制御部４０６は、その内部に記憶された抵抗（ＲS及びＲP）に対する情報及び制御部４０４から伝送された表示データを利用して第４２カソード電圧ＶＣ４２を計算する。即ち、プリチャージ制御部４０６は、第１２〜４２のデータ電流（I)１２〜（I)４２が、それぞれ１、１、１及び３Ａ（アンペア）であることを、上記表示データを通して把握し、第２スキャンラインＳ２に流れる総電流（１、１、１及び３Ａの和）とスキャンライン抵抗（１０、２、２及び２Ωの和）をかけて第４２カソード電圧（ＶＣ４２＝９６Ｖ）を計算する。
【００４０】
続いて、プリチャージ制御部４０６は、上記計算された第４２カソード電圧ＶＣ４２に対する情報を有するプリチャージ制御信号をプリチャージ部４０８に伝送する。
【００４１】
次いで、プリチャージ部４０８は、上記伝送されたプリチャージ制御信号によって図５（ｃ）に示されるように、第２プリチャージ時間pcha２の間プリチャージ電流を、第４データラインＤ４を通して、第４２サブピクセルＥ４２に印加する。その結果、第４２サブピクセルＥ４２には、第４２カソード電圧ＶＣ４２（９６Ｖ）とデフォルトプリチャージ電圧（例えば、１Ｖ）の和（９７Ｖ）に対応する電荷が充電される。ここで、上記デフォルトプリチャージ電圧は、第４２カソード電圧ＶＣ４２が０Ｖであり、第４２データ電流が３Ａの場合、プリチャージ電流に対応する電圧である。
【００４２】
続いて、データ駆動部４１０は、制御部４０４から伝送された表示データに対応する第１２〜４２のデータ電流（I)１２〜（I)４２を、第２スキャン信号ＰＳ２中のローロジック時間の間、データラインＤ１〜Ｄ４に印加する。ここで、第４２サブピクセルＥ４２が４Ｖに対応する階調で発光するためには、第４２カソード電圧ＶＣ４２が９６Ｖであるので、図５（ｃ）に示されるように、第４２アノード電圧ＶＡ４２が、１００Ｖまで上昇しなければならない。この場合、第４２サブピクセルＥ４２に対応するプリチャージ電圧Ｖ４が９７Ｖであるので、第４１サブピクセルＥ４１と同じく３Ｖだけ上昇すればよい。従って、第４２アノード電圧ＶＡ４２は、第４１サブピクセルＥ４１と同じくプリチャージ終了からＴ１時間後に安定化され得る。
【００４３】
要するに、本発明の発光素子で、第４１サブピクセルＥ４１と第４２サブピクセルＥ４２はプリチャージ終了からＴ１時間後、同一に安定化されるので、従来発光素子と違って発光時間（ｄｔ１及びｄｔ２)の間に消耗される電荷の量が同一である。従って、第４１サブピクセルＥ４１と第４２サブピクセルＥ４２は、同じ輝度で発光し、これにより、本発明の発光素子には、従来発光素子とは違ってクロストーク現象が発生しない。
【００４４】
図６は、本発明の好ましい他の異なる実施形態に係る図４の発光素子の発光過程を示した回路図である。
以下、図６を参照してプリチャージ電圧を一般化する。
【００４５】
レッドに対応するプリチャージ電圧（ＶPrecharge-RED（ｎ））は、ＶCR（ｎ）＋ＶDefault-Precharge-RED（ＤR（ｎ））であり、グリーンに対応するプリチャージ電圧（ＶPrecharge-GREEN（ｎ））は、ＶCG（ｎ）＋ＶDefault-Precharge-GREEN（ＤG（ｎ））である。また、ブルーに対応するプリチャージ電圧（ＶPrecharge-BLUE（ｎ））は、ＶCB（ｎ）＋ＶDefault-Precharge- BLUE （ＤB（ｎ））である。ここで、ＶCR（ｎ）、ＶCG（ｎ）及びＶCB（ｎ）は、レッド、グリーン及びブルーサブピクセルに対応するカソード電圧であり、ＶDefault-Precharge-RED（ＤR（ｎ））、ＶDefault-Precharge-GREEN（ＤG（ｎ））及びＶDefault-Precharge- BLUE（ＤB（ｎ））は、カソード電圧が０Ｖの場合のレッド、グリーン及びブルー表示データに対応するプリチャージ電圧である。
【００４６】
即ち、本発明の発光素子は、カソード電圧を考慮してプリチャージ電流をデータラインＤ１〜Ｄ４に印加する。上記カソード電圧を求める式は、図５（ａ）〜（ｃ）の例において説明したので、省略する。
【００４７】
本発明の他の実施形態に係る発光素子は、ＰＤＰ（Plasma Display Panel）及び液晶表示素子（ＬＣＤ）であって、これらの素子でもプリチャージ電流が、サブピクセルのカソード電圧を考慮してデータラインに印加される。
【００４８】
図７は、本発明の好ましい第２の実施形態に係る発光素子を示したブロック図である。
図７を参照すると、本発明の発光素子は、パネル７００、第１スキャン駆動部７０２、第２スキャン駆動部７０４、制御部７０６、プリチャージ制御部７０８、プリチャージ部７１０及びデータ駆動部７１２を含む。
【００４９】
第１スキャン駆動部７０２及び第２スキャン駆動部７０４を除いた残りの構成要素は、第１の実施形態の構成要素等と同じ機能を実行するので、以下説明を省略する。
第１スキャン駆動部７０２は、パネル７００の一方向で第１スキャン信号をスキャンラインＳ１〜Ｓ４の一部（Ｓ１及びＳ３）に伝送する。
【００５０】
第２スキャン駆動部７０４は、パネル７００の他方向で第２スキャン信号を残りのスキャンライン（Ｓ２及びＳ４）に伝送する。
第２の実施形態の発光素子でも、プリチャージ電流は、第１の実施形態と同様にカソード電圧を考慮してプリチャージ時間の間、データラインＤ１〜Ｄ４に印加される。第２の実施形態の発光素子の発光動作は、第一実施形態と似ているので、以下、上記発光動作に対する詳細な説明を省略する。
【００５１】
図８は、本発明の好ましい第３の実施形態に係る発光素子を示したブロック図である。
図８を参照すると、本発明の発光素子は、パネル８００、制御部８０２、スキャン駆動部８０４、放電部８０６、プリチャージ部８０８、データ変換部８１０及びデータ駆動部８１２を含む。
【００５２】
パネル８００は、データラインＤ１〜Ｄ４とスキャンラインＳ１〜Ｓ４が交差する発光領域に形成される複数のサブピクセルＥ１１〜Ｅ４４を含む。
制御部８０２は、外部ソースから入力される表示データを受信し、上記発光素子の構成要素の動作を制御する。例えば、上記表示データはＲＧＢデータである。
【００５３】
スキャン駆動部８０４は、パネル８００の一方向で形成され、好ましくは、制御部８０２の制御下にスキャン信号をスキャンラインＳ１〜Ｓ４に順次に伝送する。即ち、スキャン駆動部４０４は、スキャンラインＳ１〜Ｓ４を順次にアースに接続する。
放電部８０６は、スイッチＳＷ及び放電レベル部８２０を含む。
【００５４】
スイッチＳＷは、制御部８０２の制御によってターン−オンまたはターン−オフされる。例えば、データラインＤ１〜Ｄ４を放電させる場合、スイッチＳＷがターン−オンされる。その結果、データラインＤ１〜Ｄ４は、放電レベル部８２０に連結され、これにより、データラインＤ１〜Ｄ４に充電電荷が所定レベルまで放電される。
【００５５】
プリチャージ部８０８は、制御部８０２の制御下に上記表示データに対応するプリチャージ電流をデータラインＤ１〜Ｄ４に印加する。
データ変換部８１０は、制御部８０２の制御下に上記表示データをサブピクセルＥ１１〜Ｅ４４のカソード電圧に対応する変換データに変換させる。即ち、サブピクセルＥ１１〜Ｅ４４のカソード電圧が、各スキャンラインＳ１〜Ｓ４のライン抵抗（以下、"スキャンライン抵抗"という）に影響を受けるので、データ変換部８１０は、上記スキャンライン抵抗を補償するために、上記表示データを上記変換データに変換させる。
【００５６】
また、データ変換部８１０は、上記変換データをデータ駆動部８１２に伝送する。    データ駆動部８１２は、上記変換データに対応するデータ電流をデータラインＤ１〜Ｄ４に伝送し、これにより、上記データ電流に対応するサブピクセルが発光する。
【００５７】
図９は、図８のデータ変換部を示したブロック図である。
図９を参照すると、データ変換部８１０は、計算部９００、メモリー部９０２及びルックアップ部９０４を含む。
メモリー部９０２は、スキャンラインＳ１〜Ｓ４の抵抗値を記憶する。
【００５８】
計算部９００は、モノスキャンラインの抵抗値と上記表示データに対応するデータ電流とを乗じて、上記スキャンラインに対応するサブピクセルのカソード電圧を計算し、上記計算されたカソード電圧をルックアップ部９０４に伝送する。
【００５９】
ルックアップ部９０４は、少なくとも一つの変換データを有するルックアップテーブルを含み、計算部９００から伝送されたカソード電圧によって、上記ルックアップテーブルに含まれた変換データ中の上記カソード電圧に対応する変換データを選択する。その後、ルックアップ部９０４は、上記選択された変換データをデータ駆動部８１２に伝送する。ここで、上記選択された変換データは、上記カソード電圧に正確に一致する値でないこともありうるが、この場合、上記選択された変換データは、上記変換データ中の上記カソード電圧に最も類似した値である。従って、同じ輝度で発光するように設計されたサブピクセルの輝度がスキャンライン別に異なりうるが、このような差は、パネル８００を使用する使用者は認知できない。
【００６０】
図１０（ａ）は、本発明の好ましい一実施形態に係る図８の発光素子の駆動過程を示した回路図で、図１０（ｂ）は、本発明の好ましい他の実施形態に係る図８の発光素子の駆動過程を示した回路図である。また、図１０（ｃ）は、図１０（ａ）及び図１０（ｂ）のサブピクセルの発光過程を示したタイミング図である。
【００６１】
以下、最外側サブピクセルとアースと間の抵抗（ＲS）を１０Ωとし、サブピクセル間の抵抗（Ｒp）を２Ωとし、第４１サブピクセルＥ４１と第４２サブピクセルＥ４２が３Ａ（アンペア）のデータ電流に対応する輝度で同一に発光するように設計されたとする。また、第１１、２１及び３１サブピクセルＥ１１、Ｅ２１及びＥ３１は発光しなく、第１２、２２及び３２サブピクセルＥ１２、Ｅ２２及びＥ３２は、１Ａ（アンペア）のデータ電流に対応する輝度で発光するとする。
【００６２】
まず、第１スキャンラインＳ１に対応するサブピクセルＥ１１〜Ｅ４１の発光過程を詳述する。
図１０（ａ）を参照すると、プリチャージ部８０８は、上記表示データに対応するプリチャージ電流をデータラインＤ１〜Ｄ４に印加し、これにより、Ｖ２電圧に対応する電荷がデータラインＤ１〜Ｄ４に充電される。
【００６３】
続いて、計算部９００は、メモリー部９０２に記憶された抵抗（ＲS及びＲP）に対する情報及び制御部８０２から伝送された表示データを利用して、第４１カソード電圧ＶＣ４１を計算する。即ち、計算部９００は、第１１〜４１データ電流(I)１１〜(I)４１がそれぞれ０、０、０及び３Ａ（アンペア）であることを、上記表示データを通して把握し、第１スキャンラインＳ１に流れる総電流０、０、０及び３Ａ（アンペア）の和とスキャンライン抵抗（１０、２、２及び２Ωの和）とをかけて、第４１カソード電圧（ＶＣ４１＝４８Ｖ）を計算する。
【００６４】
次いで、計算部９００は、上記計算された第４１カソード電圧ＶＣ４１に対する情報を有する計算信号をルックアップ部９０４に伝送する。
続いて、ルックアップ部９０４は、上記第４１カソード電圧ＶＣ４１に対応する変換データを上記ルックアップテーブルで選択し、上記選択された変換データをデータ駆動部８１２に伝送する。
【００６５】
続いて、データ駆動部８１２は、ルックアップ部９０４から伝送された変換データに対応する第１１〜４１データ電流(I)１１〜(I)４１を第１スキャン信号ＰＳ１中のローロジック時間の間、データラインＤ１〜Ｄ４に印加する。その結果、第４１サブピクセルＥ４１のアノード電圧ＶＡ４１は、図１０（ｃ）に示されるようにプリチャージ終了から所定時間経過後、Ｖ３に安定化される。ここで、３Ａ（アンペア）に対応する電圧が４Ｖの場合、第４１サブピクセルＥ４１のアノード電圧ＶＡ４１は、５２Ｖに安定化され、第４１サブピクセルＥ４１は、４Ｖ（５２Ｖ−４８Ｖ）に対応する階調で発光する。
【００６６】
以下、第２スキャンラインＳ２に対応するサブピクセルＥ１２〜Ｅ４２の発光過程を詳述する。
図１０（ｂ）を参照すると、プリチャージ部８０８は、上記表示データに対応するプリチャージ電流をデータラインＤ１〜Ｄ４に印加し、これにより、Ｖ２電圧に対応する電荷がデータラインＤ１〜Ｄ４に充電される。
【００６７】
続いて、計算部９００は、メモリー部９０２に記憶された抵抗（ＲS及びＲP）に対する情報及び制御部８０２から伝送された表示データを利用して、第４２カソード電圧ＶＣ４２を計算する。即ち、計算部９００は、第１２〜４２データ電流(I)１２〜(I)４２がそれぞれ１、１、１及び３Ａ（アンペア）であることを、上記表示データを通して把握し、第２スキャンラインＳ２に流れる総電流（１、１、１及び３Ａの和）とスキャンライン抵抗（１０、２、２及び２Ωの和）とを乗じて第４２カソード電圧（ＶＣ４２＝９６Ｖ）を計算する。
【００６８】
続いて、計算部９００は、上記計算された第４２カソード電圧ＶＣ４２に対する情報を有する計算信号をルックアップ部９０４に伝送する。
次いで、ルックアップ部９０４は、上記第４２カソード電圧ＶＣ４２に対応する変換データを上記ルックアップテーブルで選択し、上記選択された変換データをデータ駆動部８１２に伝送する。
【００６９】
続いて、データ駆動部８１２は、ルックアップ部９０４から伝送された変換データに対応する第１２〜４２のデータ電流(I)１２〜(I)４２を第２スキャン信号ＰＳ２中のローロジック時間の間、データラインＤ１〜Ｄ４に印加する。その結果、第４２サブピクセルＥ４２のアノード電圧ＶＡ４２は、図１０（ｃ）に示されるようにプリチャージ終了から所定時間経過後、Ｖ４に、３Ａに対応する電圧が４Ｖの場合、ピクセルＶＣ４２のアノード電圧（ＶＡ４２）は、１００Ｖに安定化される。
【００７０】
ここで、第４２カソード電圧ＶＣ４２が、第４１カソード電圧ＶＣ４１より大きいので、第４１データ電流(I)４１より大きい第４２データ電流(I)４２が、図１０（ｃ）に示されるように、第４データラインＤ４に印加される。即ち、Ｂ部分に図示された第４２データ電流I４２の勾配が、Ａ部分に図示された第４１データ電流(I)４１の勾配より大きい。従って、第４２サブピクセルＥ４２で、第４２データ電流(I)４２が安定化されるまで消耗される電荷の量は、第４１サブピクセルＥ４１で、第４１データ電流(I)４１が安定化されるまで消耗される電荷の量と同じか、類似する。
【００７１】
要するに、本発明の発光素子では、サブピクセルのカソード電圧によってデータ電流の勾配が変化するので、同じ輝度で発光するように既に設定されたサブピクセル間に、輝度差が発生しない。従って、本発明の発光素子では、従来発光素子と違ってパネル４００にクロストーク現象が発生しない。
【００７２】
図１１は、本発明の好ましい第４の実施形態に係る発光素子、好ましくは有機電界発光素子を示したブロック図である。
図１１を参照すると、本発明の発光素子は、パネル１１００、制御部１１０２、スキャン駆動部１１０４、放電部１１０６、プリチャージ部１１０８、データ変換部１１１０及びデータ駆動部１１１２を含む。
【００７３】
放電部１１０６を除いた残りの構成要素は、第３の実施形態の構成要素と同一なので、以下説明を省略する。
放電部１１０６は、スイッチＳＷ、ＤＡ変換部１１２０及びバッファー１１２２を含む。
【００７４】
スイッチＳＷは、放電時間の間、ターン−オンされる。
ＤＡ変換部１１２０は、制御部１１０２の制御によって複数の放電レベル中の一つの放電レベルに対応する放電電圧をバッファー１１２２に伝送する。
【００７５】
バッファー１１２２は、ＤＡ変換部１１２０から伝送された放電電圧をバッファリングして一定大きさの放電電圧を出力する。その結果、データラインＤ１〜Ｄ４に充電電荷が上記放電時間の間、上記放電電圧まで放電される。即ち、第４の実施形態の放電部１１０６は、一つの放電レベルを有する第３の実施形態の放電部８０６とは違って複数の放電レベルを有する。
【００７６】
要するに、本発明の発光素子で、上記カソード電圧に正確に一致しないデータ電流がデータラインＤ１〜Ｄ４に印加されることができ、この場合、放電部１１０６は、上記放電電圧を所定レベル単位に調節して上記一致しないデータ電流を補償する。
図１２は、本発明の好ましい第５の実施形態に係る発光素子、好ましくは有機電界発光素子を示したブロック図である。
【００７７】
図１２を参照すると、本発明の発光素子は、パネル１２００、制御部１２０２,第１スキャン駆動部１２０４、第２スキャン駆動部１２０６、放電部１２０８、プリチャージ部１２１０、データ変換部１２１２及びデータ駆動部１２１４を含む。
【００７８】
第１スキャン駆動部１２０４及び第２スキャン駆動部１２０６を除いた残りの構成要素は第２の実施形態の構成要素と同じ機能を実行するので、以下説明を省略する。
【００７９】
第１スキャン駆動部１２０４は、パネル１２００の一方向で、第１スキャン信号をスキャンラインＳ１〜Ｓ４の一部（Ｓ１及びＳ３）に伝送する。
第２スキャン駆動部１２０６は、パネル１２００の他方向で、第２スキャン信号を余りスキャンラインＳ２及びＳ４に伝送する。
【００８０】
第５の実施形態の発光素子でも、カソード電圧を考慮したデータ電流が発光時間の間データラインＤ１〜Ｄ４に印加される。第５の実施形態の発光素子の発光動作は、第３の実施形態と似ているので、以下、上記発光動作に対する詳細な説明を省略する。
【００８１】
以上で説明した本発明は、例示の目的のために開示されたものであり、本発明に対する通常の知識を有した当業者であるならば、本発明の技術的思想と特許請求の範囲内で様々な修正、変更、付加が可能である。従って、このような修正、変更及び付加は、本発明の特許請求の範囲に属するものである。
【図面の簡単な説明】
【００８２】
【図１】従来の第１の実施形態に係る有機電界発光素子を示したブロック図である。
【図２】２（ａ）及び２（ｂ）は、図１の有機電界発光素子の駆動過程を示した回路図で、２（ｃ）は、２（ａ）及び２（ｂ）のサブピクセルの発光過程を示したタイミング図である。
【図３】従来の第２の実施形態に係る有機電界発光素子を示したブロック図である。
【図４】本発明の好ましい第１の実施形態に係る発光素子、好ましくは有機電界発光素子を示したブロック図である。
【図５】５（ａ）は、本発明の好ましい一実施形態に係る図４の発光素子の駆動過程を示した回路図で、５（ｂ）は、本発明の好ましい他の実施形態に係る図４の発光素子の駆動過程を示した回路図で、５（ｃ）は、５（ａ）及び５（ｂ）のサブピクセルの発光過程を示したタイミング図である。
【図６】本発明の好ましい他の相違する実施形態に係る図４の発光素子の発光過程を示した回路図である。
【図７】本発明の好ましい第２の実施形態に係る発光素子、好ましくは有機電界発光素子を示したブロック図である。
【図８】本発明の好ましい第３の実施形態に係る発光素子、好ましくは有機電界発光素子を示したブロック図である。
【図９】図８のデータ変換部を示したブロック図である。
【図１０】１０（ａ）は、本発明の好ましい一実施形態に係る図８の発光素子の駆動過程を示した回路図で、１０（ｂ）は、本発明の好ましい他の実施形態に係る図８の発光素子の駆動過程を示した回路図で、１０（ｃ）は、１０（ａ）及び１０（ｂ）のサブピクセルの発光過程を示したタイミング図である。
【図１１】本発明の好ましい第４の実施形態に係る発光素子、好ましくは有機電界発光素子を示したブロック図である。
【図１２】本発明の好ましい第５の実施形態に係る発光素子、好ましくは有機電界発光素子を示したブロック図である。
【符号の説明】
【００８３】
４００  パネル
４０２  スキャン駆動部
４０４  制御部
４０６  プリチャージ駆動部
４０８  プリチャージ部
４１０  データ駆動部
Ｄ１〜Ｄ４  データライン
Ｓ１〜Ｓ４  スキャンライン
Ｅ１１〜Ｅ４４  サブピクセル
【図１】
2007079531.tif 000003
【図２】
2007079531.tif 000004
【図３】
2007079531.tif 000005
【図４】
2007079531.tif 000006
【図５】
2007079531.tif 000007
【図６】
2007079531.tif 000008
【図７】
2007079531.tif 000009
【図８】
2007079531.tif 000010
【図９】
2007079531.tif 000011
【図１０】
2007079531.tif 000012
【図１１】
2007079531.tif 000013
【図１２】
2007079531.tif 000014